(57)【要約】【課題】  着脱性の改善と装着感の向上を図るとともに、デザイン性にも優れた巻き衣類を提供する。【解決手段】  巻き衣類１０は、帯状の本体１２と、その両端のリング１４Ａ及び１４Ｂにより構成される。本体１２は、着用者２０のバストを上下で覆うことができる幅に設定されるとともに、着用時に、バスト位置にほぼ１周半程度巻き付けられる長さとなっている。前記本体１２とリング１４Ａ，１４Ｂは、伸縮性のある生地で形成されており、それらの継ぎ目部分も、幅方向に伸縮性がもたせられている。巻き衣類１０は、一方のリング１４Ａを一方の肩（例えば右肩２２Ａ）に掛け、本体１２を着用者２０の正面右側から左側へわたし、更に背中２６側を回した後、他方の端部側を再度正面に引き出して、リング１４Ｂを他方の肩（例えば左肩２２Ｂ）に掛けることにより、着用者２０の正面で交差した状態で着用できる。【選択図】図１
2006225789.tif 000002
【特許請求の範囲】
【請求項１】
少なくともバストを上下に覆う幅を有するとともに、着用者の正面又は背中側で交差ないし重なるように、前記着用者のバスト位置に巻き付けられる帯状の本体，
該本体の両端側に設けられており、前記着用者の肩に掛けるリング部，
を備えるとともに、
前記本体が、着用時において、前記着用者のバスト位置にほぼ１周半以上巻き付け可能な長さを有することを特徴とする巻き衣類。
【請求項２】
少なくともバストを上下に覆う幅を有するとともに、着用者の正面又は背中側で交差ないし重なるように、前記着用者のバスト位置に巻き付けられる帯状の本体，
該本体の一方の端部側に設けられており、前記着用者の肩に掛けるリング部，
前記本体が、前記着用者のバスト位置に巻き付けられた状態で、該本体の他方の端部側を本体に留める留め具，
を備えるとともに、
前記本体が、着用時において、前記着用者のバスト位置にほぼ１周半以上巻き付け可能な長さを有することを特徴とする巻き衣類。
【請求項３】
前記本体が、伸縮性を有することを特徴とする請求項１又は２記載の巻き衣類。
【請求項４】
前記リング部が、伸縮性を有することを特徴とする請求項１〜３のいずれかに記載の巻き衣類。
【請求項５】
前記本体とリング部の接続部ないし継ぎ目が、前記本体の幅方向に伸縮可能であることを特徴とする請求項１〜４のいずれかに記載の巻き衣類。
【請求項６】
前記リング部が、前記本体から着脱可能であることを特徴とする請求項１〜５のいずれかに記載の巻き衣類。
【発明の詳細な説明】
【技術分野】
【０００１】
本発明は、着用者のバスト部分を覆う巻き衣類に関し、更に具体的には、着脱性の改善と装着感の向上に関するものである。
【背景技術】
【０００２】
従来、一般的なブラジャーは、バストカップ部分を有し、背中側又は正面側に設けられたホックの掛け外しにより着脱を行うが、通常はバストの形を整えることを目的として作られているため、着脱の容易性や快適な装着感が得られないものもある。このほか、女性が着用するものとして、重ね着をしないことで着用感の向上を図るようなブラジャー一体型のキャミソールや、以下の特許文献１及び２に示すようなスポーツに適したブラジャーなど各種のものがある。
【特許文献１】特開平９−２９６３０８号公報
【特許文献２】特開２０００−２２０００５公報
【発明の開示】
【発明が解決しようとする課題】
【０００３】
しかしながら、上述した特許文献１及び２に記載の技術を含め、従来のスポーツ用ブラジャーは、バストを固定するため伸縮性を有する生地で全体が一体物として構成されており、ホックなどの留め具が設けられていない。また、伸縮性を有する生地を用いているため、非着用時には、全体のサイズが着用時よりも小さめ（きつめ）である場合が多い。従って、着用時には、頭から被らなければならないが、一体構造の小さめのブラジャーを被るのは着脱性に優れているとは言いがたい。特に、汗をかいた後などに外すときは、体にはりついて容易ではない。また、肩紐に相当する部分がベルト状に幅広であったり、背中側を覆う面積が広かったりするなど、デザイン性にも欠けるという不都合がある。
【０００４】
本発明は、以上の点に着目したもので、その目的は、着脱性の改善と装着感の向上を図るとともに、デザイン性にも優れた巻き衣類を提供することである。
【課題を解決するための手段】
【０００５】
前記目的を達成するため、本発明の巻き衣類は、少なくともバストを上下に覆う幅を有するとともに、着用者の正面又は背中側で交差ないし重なるように、前記着用者のバスト位置に巻き付けられる帯状の本体，該本体の両端側に設けられており、前記着用者の肩に掛けるリング部，を備えるとともに、前記本体が、着用時において、前記着用者のバスト位置にほぼ１周半以上巻き付け可能な長さを有することを特徴とする。
【０００６】
他の発明の巻き衣類は、少なくともバストを上下に覆う幅を有するとともに、着用者の正面又は背中側で交差ないし重なるように、前記着用者のバスト位置に巻き付けられる帯状の本体，該本体の一方の端部側に設けられており、前記着用者の肩に掛けるリング部，前記本体が、前記着用者のバスト位置に巻き付けられた状態で、該本体の他方の端部側を本体に留める留め具，を備えるとともに、前記本体が、着用時において、前記着用者のバスト位置にほぼ１周半以上巻き付け可能な長さを有することを特徴とする。
【０００７】
主要な形態の一つは、前記本体が、伸縮性を有することを特徴とする。他の形態は、前記リング部が、伸縮性を有することを特徴とする。更に他の形態は、前記本体とリング部の接続部ないし継ぎ目が、前記本体の幅方向に伸縮可能であることを特徴とする。更に他の形態は、前記リング部が、前記本体から着脱可能であることを特徴とする。本発明の前記及び他の目的，特徴，利点は、以下の詳細な説明及び添付図面から明瞭になろう。
【発明の効果】
【０００８】
本発明は、少なくともバストを上下に覆う幅を有する帯状の本体を、着用者の正面又は背中側で交差ないし重なるように、前記着用者のバスト位置にほぼ１周半以上巻き付け、(1)前記本体の両端に設けたリング部を着用者の肩に掛ける，あるいは、(2)本体の一端に設けたリング部を着用者の肩に掛け、他端側を留め具で本体に留めることとした。このため、着脱性及び装着感に優れるとともに、デザイン性の向上も図ることができるという効果がある。
【発明を実施するための最良の形態】
【０００９】
以下、本発明を実施するための最良の形態を、実施例に基づいて詳細に説明する。
【実施例１】
【００１０】
最初に、図１〜図４を参照しながら、本発明の実施例１を説明する。図１は、本実施例の使用状態の一例を示す図であり、(A)は正面側から見た図，(B)は背中側から見た図である。図２は、本実施例の全体構造を示す図，図３は、本実施例の着用手順の一例を示す図である。図４は、本実施例の使用状態の他の例を示す図である。本実施例は、本発明の巻き衣類を、アウター感覚で着用でき、着用者の身体にフィットして快適な使用感を得ることができるブラジャーとして適用したものである。なお、ここでは、ブラジャーと表現したが、キャミソールやトップスなど、他の表現とすることを妨げるものではない。
【００１１】
図１に示すように、本実施例の巻き衣類１０は、着用者２０のバスト位置に、正面側で交差するように巻き付けて使用されるものである。前記巻き衣類１０は、図２に示すように、帯状の本体１２と、該本体１２の両端部１２Ａ及び１２Ｂ側にそれぞれ設けられた環状のリング１４Ａ及び１４Ｂにより構成されている。前記本体１２及びリング１４Ａ，１４Ｂとしては、フィット感を高めたり、適応サイズに余裕を持たせたりするという観点から、例えば、伸縮性を有する生地を用いると都合がよい。なお、伸縮性を有する生地とは、伸縮性のある編み方（リブ編み等）をしたものや、伸縮性のある糸を使用した生地，その双方を組み合わせたものなどである。また、前記生地の素材としては、公知の各種の天然繊維（シルクや綿など）や合成繊維（アクリル，レーヨン，ナイロン，ポリウレタン，ポリエステルなど）が利用可能であり、必要に応じてそれらの使い分けや併用を行うようにしてよい。例えば、シルクを混合して高級感や肌触りの感触を高めたり、綿を混合して吸湿性を高めたりするなどである。
【００１２】
前記本体１２は、着用者２０のバスト２４を少なくとも上下方向で覆うことができる幅に設定されている。また、本体１２の長さは、着用したときに、着用者２０のバスト位置に、ほぼ１周半程度巻き付けることができる長さに設定されている。すなわち、伸縮性を有する生地を使用した場合、非着用時には、着用時の長さよりも短くなる。
【００１３】
一方、前記リング１４Ａ及び１４Ｂは、本体１２と同様に伸縮性のある生地で環状に形成されており、着用者の腕に通して右肩２２Ａや左肩２２Ｂに掛けることができるサイズに形成されている。リング１４Ａ及び１４Ｂの幅は、図示の例では、通常のブラジャーの肩紐程度となっているが、必要に応じて細くしてもよいし、幅広としてもよい。このようなリング１４Ａ，１４Ｂは、前記本体１２の端部１２Ａ及び１２Ｂに、例えば、縫製などにより取り付けられる。このとき、端部１２Ａ及び１２Ｂとの接続部分（ないし継ぎ目）は、本体１２の幅方向に伸縮性を有するように形成されているため、着用者２０の体にフィットして快適な装着感が得られる。このような継ぎ目部分の伸縮性は、例えば、公知のリンキングなどの手法により実現可能である。
【００１４】
次に、図３も参照して、本実施例の作用を説明する。まず、図３(A)に示すように、巻き衣類１０の一方の端部側のリング１４を、着用者２０の一方の肩（図示の例では右肩２２Ａ）に掛ける。そして、本体１２を、バスト２４の右側から左側へわたし、更に、図３(B)に示すように、背中２６側を回して、図３(C)に示すように、本体の他方の端部１２Ｂ側（リング１４Ｂ側）を、右側で背中２６から正面側にもってくる。最後に、図３(D)に示すように、他方のリング１４Ｂを、正面側から着用者２０の他方の肩（図示の例では左肩２２Ｂ）に掛けると、本体１２が着用者２０の正面側で交差した状態でバスト２４を覆うことができる。上述した着用動作中は、本体１２の伸縮性の強さに応じて、引っ張りながら本体１２を巻き付けて着用する。このようにして着用した巻き衣類１０は、本体１２及びリング１４Ａ及び１４Ｂが伸縮性を有しているため、着用者２０の体にフィットし、快適な装着感を得ることができる。また、上述した動作を逆に行えば、巻き衣類１０を簡単に取り外すことができる。
【００１５】
なお、図４に示す他の使用例のように、本体１２が着用者２０の背中２６側で交差し、正面部分で横方向に直線状になるように着用してもよい。この場合は、前記図３(A)で右肩２２Ａにリング１４Ａを掛けたあと、本体１２をまず背中２６側に回してから正面側にもってくる。そして、最後に、他方のリング１４Ｂを背中側から左肩２２Ｂに掛けると、背中２６側で交差した状態で着用することができる。
【００１６】
このように、実施例１によれば、次のような効果がある。
(1)両端にリング１４Ａ及び１４Ｂを設けた帯状の本体１２を、着用者２０のバスト位置に巻き付け、正面側又は背中側で交差させた状態で、前記リング１４Ａ及び１４Ｂを右肩２２Ａ及び左肩２２Ｂに掛けることとしたので、着脱が容易であるとともに、デザイン性にも優れている。
(2)本体１２やリング１４Ａ，１４Ｂを、伸縮性の生地で形成するとともに、これらの継ぎ目部分にも伸縮性を持たせることとしたので、着用者２０の体にフィットし、快適な装着感が得られる。また、伸縮性があるため、適用サイズに余裕がある。
(3)非着用時には平面状に畳めるため、収納や携帯にも都合がよい。
【実施例２】
【００１７】
次に、図５を参照しながら、本発明の実施例２を説明する。図５は、本実施例の使用状態を示す図であり、(A)は着用者の側方から見た図，(B)は正面から見た図である。なお、上述した実施例１と同一ないし対応する構成要素には同一の符号を用いることとする。前記実施例１は、帯状の本体の両端に環状のリングを設けた例であるが、本実施例の巻き衣類３０は、帯状の本体３２の一方の端部にのみ、上述した実施例と同様のリング３４が設けられた構造となっている。本実施例では、リング３４が設けられていない側の端部は、留め具３６で本体３２に留められている。なお、本実施例の巻き衣類３０を構成する素材は、上述した実施例１と同様のものが利用される。
【００１８】
前記巻き衣類３０を着用する場合には、一方の肩（図示の例では左肩２２Ｂ）に前記リング３４を掛け、本体３２をバスト２４の左側から右側へわたした後、背中２６側を回して再度正面側に引き出す。そして、引き出した端部を、斜め掛けになっている本体３２の内側に巻き込んで、適宜位置で留め具３６によって留めるようにする。もちろん、端部を内側に巻き込まずに、表に重ねるように巻き付けて留めるようにしてもよい。本実施例の効果・作用は、上述した実施例１と同様であるが、本実施例では、一方の端部にリングが設けられていないため、サイズ調整が更に容易になるという効果も得られる。
【００１９】
なお、本発明は、上述した実施例に限定されるものではなく、本発明の要旨を逸脱しない範囲内において種々変更を加え得ることができる。例えば、以下のものも含まれる。
(1)前記実施例の形状，サイズ，素材は一例であり、同様の効果を奏するように適宜変更してよい。例えば、前記実施例では、本体１２及び３２の幅をほぼ均一としたが、部分的に増減するなど、必要に応じて適宜変更可能である。また、前記実施例では、本体の長さを、着用者２０のバスト位置にほぼ１周半程度巻き付けることができる長さに設定したが、これも一例であり、２周や３周以上巻き付けられる長さにするようにしてもよい。
【００２０】
(2)色や模様についても一例であり、図６に示す巻き衣類４０のように、本体４２に模様を設けるようにするなど、必要に応じて適宜変更してよい。また、本体の表裏を異なる色としたり、表裏で異なる模様を設けたりすることにより、リバーシブルで着用することが可能である。
【００２１】
(3)前記実施例で示した着用例も一例であり、同様の効果を適宜変更するようにしてもよい。例えば、前記実施例１では、リング１４Ａを右肩２２Ａに掛けてから着用することとしたが、左肩２２Ｂに掛けてからであってもよい。また、前記実施例２では、着用者２０の右サイドで留め具３６を用いることとしたが、これも一例であり、左サイドで留めるようにしてもよい。
【００２２】
(4)前記実施例では、リング１４Ａ，１４Ｂ，３４を、縫製などにより本体１２や３２に一体に取り付けることとしたが、リングを着脱可能な構成とし、他のリングと付け替えできるようにしてもよい。また、前記実施例では、予め環状に形成されたリングを本体に取り付けることとしたが、着用時にリング状になっていればよく、例えば、紐の端部同士を結んで輪にするような構成としてもよい。
【００２３】
(5)前記実施例では、本体の端部にリングを設けることとしたが、端部から所定の間隔をおいた位置にリングを取り付けることにより、端部の余った部分が、着用時にフリルのようになり、装飾性を高めることができる。
【００２４】
(6)本発明の巻き衣類は、インナー，アウターのいずれとしても適用可能である。もちろん、他の衣類と合わせて着用することを妨げるものではない。
【産業上の利用可能性】
【００２５】
本発明によれば、少なくともバストを上下に覆う幅を有する帯状の本体を、着用者の正面又は背中側で交差ないし重なるように、前記着用者のバスト位置にほぼ１周半以上巻き付ける。そして、(1)前記本体の両端に設けたリング部を着用者の肩に掛ける，あるいは、(2)本体の一端に設けたリング部を着用者の肩に掛け、他端側を留め具で本体に留めることとした。このため、着脱性，装着感，デザイン性にも優れることから、バストを覆う衣類の用途に適用できる。
【図面の簡単な説明】
【００２６】
【図１】本発明の実施例１の使用状態の一例を示す図である。
【図２】前記実施例１の全体構成を示す図である。
【図３】前記実施例１の着用手順の一例を示す図である。
【図４】前記実施例１の使用状態の他の例を示す図である。
【図５】本発明の実施例２の使用状態の一例を示すである。
【図６】本発明の他の実施例を示す図である。
【符号の説明】
【００２７】
１０：巻き衣類
１２：本体
１２Ａ，１２Ｂ：端部
１４Ａ，１４Ｂ：リング
２０：着用者
２２Ａ：右肩
２２Ｂ：左肩
２４：バスト
２６：背中
３０：巻き衣類
３２：本体
３４：リング
３６：留め具
４０：巻き衣類
４２：本体
【図１】
2006225789.tif 000003
【図２】
2006225789.tif 000004
【図３】
2006225789.tif 000005
【図４】
2006225789.tif 000006
【図５】
2006225789.tif 000007
【図６】
2006225789.tif 000008